(57)【要約】【課題】第１のシリンジおよび第２のシリンジのそれぞれに充填された液体を塗布するとき、簡単な構造で、ノズルと前記各液体が塗布されるものとの距離をほぼ一定に維持することができる塗布具を提供すること。【解決手段】塗布具１は、外筒２１と、外筒２１内に挿入されたガスケットと、ガスケットを外筒２１の長手方向に沿って移動操作する押し子２６とを備え、外筒２１とガスケットとで形成された空間に液体が充填された第１のシリンジ２および第２のシリンジ３を、並列に装填して用いられるものである。この塗布具１は、第１のシリンジ２および第２のシリンジ３を並列に固定する塗布具本体７と、第１のシリンジ２および第２のシリンジ３の押し子２６同士を連結する連結部材８とを有し、塗布具本体７には、片方の手の親指を除く４本の指で握られるグリップ部７５が設けられており、連結部材８には、親指の指先のみを掛ける突出部８２が設けられている。【選択図】図１
2007045515.tif 000002
【特許請求の範囲】
【請求項１】
先端部に突出形成された口部と後端外周に形成されたフランジとを有するシリンジ外筒と、該シリンジ外筒内に挿入されたガスケットと、該ガスケットを前記シリンジ外筒の長手方向に沿って移動操作する押し子とを備え、前記シリンジ外筒と前記ガスケットとで形成された空間に液体が充填された第１のシリンジおよび第２のシリンジを、並列に装填して用いられる塗布具であって、
前記第１のシリンジおよび前記第２のシリンジを並列に固定する塗布具本体と、
前記第１のシリンジおよび前記第２のシリンジのそれぞれの前記口部から流出した液体を吐出するノズルと、
前記第１のシリンジおよび前記第２のシリンジの前記押し子の後端部同士を連結する連結部材とを有し、
前記塗布具本体には、片方の手の親指を除く複数の指で握られるグリップ部が設けられており、前記連結部材には、前記親指の指先のみを掛ける指掛け部が設けられていることを特徴とする塗布具。
【請求項２】
前記第１のシリンジおよび前記第２のシリンジからそれぞれ液体が押し出されるとき、前記指掛け部は押圧されて先端方向に移動し、前記ノズルは移動しない請求項１に記載の塗布具。
【請求項３】
前記連結部材は、その後端部が前記指掛け部として機能する請求項１または２に記載の塗布具。
【請求項４】
前記連結部材には、前記各シリンジ外筒の長手方向に対しほぼ直角方向に突出した突出部が設けられており、該突出部が前記指掛け部として機能する請求項１または２に記載の塗布具。
【請求項５】
前記グリップ部には、前記手の人差し指が挿入されるリング状の挿入部が設けられている請求項１ないし４のいずれかに記載の塗布具。
【請求項６】
前記塗布具本体には、後端方向に延在するレール部が設けられており、
前記連結部材には、前記レール部が挿入される開口部が設けられ、該開口部の縁部が前記レール部を摺動する請求項１ないし５のいずれかに記載の塗布具。
【請求項７】
前記レール部と前記開口部の縁部とは、複数の箇所で線接触している請求項６に記載の塗布具。
【請求項８】
前記レール部は、その横断面がほぼＴ字状をなすものであり、
前記開口部は、その形状がほぼ三角形状をなし、その各角部が前記Ｔ字の各端部に線接触している請求項６または７に記載の塗布具。
【請求項９】
前記塗布具本体は、その先端側に設けられ、前記各口部が突出可能な前板を有する請求項１ないし８のいずれかに記載の塗布具。
【請求項１０】
前記塗布具本体は、その後端側に設けられ、前記各フランジが係合する係合部を有する請求項１ないし９のいずれかに記載の塗布具。
【請求項１１】
前記ノズルは、前記第１のシリンジの液体が吐出される第１の吐出口と、前記第２のシリンジの液体が吐出される第２の吐出口と、前記第１のシリンジから流出した液体を前記第１の吐出口へ送る第１の流路と、前記第２のシリンジから流出した液体を前記第２の吐出口へ送る第２の流路とを備える請求項１ないし１０のいずれかに記載の塗布具。
【請求項１２】
前記第１のシリンジおよび前記第２のシリンジには、それぞれ、液組成が異なる液体が充填される請求項１ないし１１のいずれかに記載の塗布具。
【請求項１３】
前記液組成が異なる２液体は、それらを混合することによりゲル化するものである請求項１２に記載の塗布具。
【請求項１４】
前記液組成が異なる２液体は、それらを混合することにより生体組織の癒着防止材となるものである請求項１２または１３に記載の塗布具。
【発明の詳細な説明】
【技術分野】
【０００１】
本発明は、塗布具に関するものである。
【背景技術】
【０００２】
従来、２種以上の液体を混合して患部等に噴射し、癒着防止材や生体組織接着材などを形成する方法が知られており、そのための塗布具が開発されている。
【０００３】
このような塗布具としては、例えば、特許文献１に記載されたものが知られている。この塗布具は、異なる種類の液体をそれぞれ含有する２つのシリンジが並列に装填される（固定される）塗布具本体（主部材）と、塗布具本体に対して摺動可能であり、各シリンジの押し子の後端部同士を連結する連結部材（補助部材）と、各シリンジから流出した液体がそれぞれ噴出されるノズルとで構成されている。
【０００４】
この塗布具を用いて液体を患部に塗布するには、以下に示す３つの操作方法が挙げられる。
【０００５】
［１］一方の手を連結部材の後端面に宛がい、この状態で、他方の手で塗布具本体を把持して引き寄せる操作方法
［２］一方の手で塗布具本体を把持し（支持し）、この状態で、他方の手で連結部材の後端面を押圧する操作方法
［３］一方の手で塗布具本体を把持して引き寄せるとともに、他方の手で連結部材の後端面を押圧する操作方法
さて、これらの操作方法では、液体を患部に塗布するとき、ノズルが患部から離間する。
【０００６】
換言すれば、操作方法［１］では、塗布具本体とともにノズルが引き寄せられるため、当該ノズルが患部から離間する。また、操作方法［２］では、両手で塗布具を操作するため、患部とノズルとの距離が安定しない、すなわち、ノズルが患部から離間する。また、操作方法［３］では、前記操作方法［１］とほぼ同様に塗布具本体とともにノズルが引き寄せられるため、当該ノズルが患部から離間する。
【０００７】
このようにノズルが患部から離間すると、塗布の初期と後期とでノズルから噴出した各液体の広がりの程度に変化が生じて、これらの液体が十分に混合される部分と、混合が不十分な部分とが生じる。このため、混合が不十分な部分では、患部と他の部位との癒着（例えば開腹手術の場合、内臓と腹壁との癒着）を防止することができない。
【０００８】
【特許文献１】実開昭６２−６５９７２号公報
【発明の開示】
【発明が解決しようとする課題】
【０００９】
本発明の目的は、第１のシリンジおよび第２のシリンジのそれぞれに充填された液体を塗布するとき、簡単な構造で、ノズルと前記各液体が塗布されるものとの距離をほぼ一定に維持することができる塗布具を提供することにある。
【課題を解決するための手段】
【００１０】
このような目的は、下記（１）〜（１４）の本発明により達成される。
（１）  先端部に突出形成された口部と後端外周に形成されたフランジとを有するシリンジ外筒と、該シリンジ外筒内に挿入されたガスケットと、該ガスケットを前記シリンジ外筒の長手方向に沿って移動操作する押し子とを備え、前記シリンジ外筒と前記ガスケットとで形成された空間に液体が充填された第１のシリンジおよび第２のシリンジを、並列に装填して用いられる塗布具であって、
前記第１のシリンジおよび前記第２のシリンジを並列に固定する塗布具本体と、
前記第１のシリンジおよび前記第２のシリンジのそれぞれの前記口部から流出した液体を吐出するノズルと、
前記第１のシリンジおよび前記第２のシリンジの前記押し子の後端部同士を連結する連結部材とを有し、
前記塗布具本体には、片方の手の親指を除く複数の指で握られるグリップ部が設けられており、前記連結部材には、前記親指の指先のみを掛ける指掛け部が設けられていることを特徴とする塗布具。
【００１１】
（２）  前記第１のシリンジおよび前記第２のシリンジからそれぞれ液体が押し出されるとき、前記指掛け部は押圧されて先端方向に移動し、前記ノズルは移動しない上記（１）に記載の塗布具。
【００１２】
（３）  前記連結部材は、その後端部が前記指掛け部として機能する上記（１）または（２）に記載の塗布具。
【００１３】
（４）  前記連結部材には、前記各シリンジ外筒の長手方向に対しほぼ直角方向に突出した突出部が設けられており、該突出部が前記指掛け部として機能する上記（１）または（２）に記載の塗布具。
【００１４】
（５）  前記グリップ部には、前記手の人差し指が挿入されるリング状の挿入部が設けられている上記（１）ないし（４）のいずれかに記載の塗布具。
【００１５】
（６）  前記塗布具本体には、後端方向に延在するレール部が設けられており、
前記連結部材には、前記レール部が挿入される開口部が設けられ、該開口部の縁部が前記レール部を摺動する上記（１）ないし（５）のいずれかに記載の塗布具。
【００１６】
（７）  前記レール部と前記開口部の縁部とは、複数の箇所で線接触している上記（６）に記載の塗布具。
【００１７】
（８）  前記レール部は、その横断面がほぼＴ字状をなすものであり、
前記開口部は、その形状がほぼ三角形状をなし、その各角部が前記Ｔ字の各端部に線接触している上記（６）または（７）に記載の塗布具。
【００１８】
（９）  前記塗布具本体は、その先端側に設けられ、前記各口部が突出可能な前板を有する上記（１）ないし（８）のいずれかに記載の塗布具。
【００１９】
（１０）  前記塗布具本体は、その後端側に設けられ、前記各フランジが係合する係合部を有する上記（１）ないし（９）のいずれかに記載の塗布具。
【００２０】
（１１）  前記ノズルは、前記第１のシリンジの液体が吐出される第１の吐出口と、前記第２のシリンジの液体が吐出される第２の吐出口と、前記第１のシリンジから流出した液体を前記第１の吐出口へ送る第１の流路と、前記第２のシリンジから流出した液体を前記第２の吐出口へ送る第２の流路とを備える上記（１）ないし（１０）のいずれかに記載の塗布具。
【００２１】
（１２）  前記第１のシリンジおよび前記第２のシリンジには、それぞれ、液組成が異なる液体が充填される上記（１）ないし（１１）のいずれかに記載の塗布具。
【００２２】
（１３）  前記液組成が異なる２液体は、それらを混合することによりゲル化するものである上記（１２）に記載の塗布具。
【００２３】
（１４）  前記液組成が異なる２液体は、それらを混合することにより生体組織の癒着防止材となるものである上記（１２）または（１３）に記載の塗布具。
【発明の効果】
【００２４】
本発明の塗布具によれば、塗布具本体に片方の手の親指を除く複数の指で握られるグリップ部が設けられ、連結部材に親指の指先のみを掛ける指掛け部が設けられているため、第１のシリンジおよび第２のシリンジのそれぞれに充填された液体を塗布するとき、ノズルと各液体が塗布されるものとの距離をほぼ一定に維持することができる。
【００２５】
また、前述したように塗布具本体にグリップ部を設け、連結部材に指掛け部を設けた構造となっているため、本発明の塗布具における構造が簡単なものとなっている。
【発明を実施するための最良の形態】
【００２６】
以下、本発明の塗布具について添付図面に示す好適実施形態に基づいて詳細に説明する。
【００２７】
＜第１実施形態＞
図１は、本発明の塗布具の第１実施形態を示す側面図、図２は、図１に示す塗布具を正面側（前側）から見た斜視図、図３は、図１に示す塗布具の分解斜視図、図４は、図１に示す塗布具おける塗布具本体および連結部材を正面側から見た斜視図、図５は、図１に示す塗布具における塗布具本体の平面図、図６は、図１に示す塗布具における塗布具本体の側面図、図７は、図４中の一点鎖線で囲まれた領域［Ａ］の拡大図、図８は、図１に示す塗布具における連結部材付近の側面図、図９は、図１に示す塗布具の背面図、図１０は、図１に示す塗布具におけるノズル付近の縦断面図、図１１は、図１に示す塗布具の使用状態の一例を示す図、図１４は、図１に示す塗布具に装填される第１のシリンジ（第２のシリンジも同様）の部分縦断面図である。
【００２８】
なお、説明の都合上、図１、図３、図５、図６および図８中の左側を「先端」、右側を「後端（基端）」といい、図１０および図１４中の下側を「先端」、上側を「後端」という。また、図１〜図４、図６〜図９および図１１中、上側を「上」といい、下側を「下」という。
【００２９】
また、図３では、ノズルを省略して描いており、図８および図９では、第１のシリンジおよび第２のシリンジを省略して描いている。
【００３０】
図１および図３に示すように、本実施形態の塗布具１は、第１のシリンジおよび第２のシリンジを並列に装填して用いられるものである。
【００３１】
まず、塗布具１の構成について説明する前に、第１のシリンジ２および第２のシリンジ３の構成について説明する。第１のシリンジ２と第２のシリンジ３とは、ほぼ同様の構成であるため、代表的に第１のシリンジ２について説明する。
【００３２】
図１４に示すように、本実施形態における第１のシリンジ２は、外筒（シリンジ外筒）２１と、外筒２１内で摺動し得るガスケット２４と、ガスケット２４を外筒２１の長手方向（軸方向）に沿って移動操作する押し子（プランジャロッド）２６とを備えている。ガスケット２４は、押し子２６の先端に連結されている。
【００３３】
外筒２１は、有底筒状の部材で構成され、先端側底部の中央部には、外筒２１の胴部に対し縮径した縮径部（口部）２２が一体的に突出形成されている。
【００３４】
外筒２１の後端外周には、フランジ２３が一体的に形成されている。
また、外筒２１の外周面には、液量を示す目盛りが付されている。
【００３５】
外筒２１の構成材料としては、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリプロピレン、環状ポリオレフィン、ポリエステルのような樹脂が好ましい。なお、外筒２１の構成材料は、内部の視認性を確保するために、実質的に透明であるのが好ましい。
【００３６】
このような外筒２１内には、弾性材料で構成されたガスケット２４が収納されて（挿入されて）いる。ガスケット２４の外周部には、複数（２つ）のリング状の突部が全周にわたって形成されており、これらの突部が外筒２１の内周面に密着しつつ摺動することで、液密性をより確実に保持するとともに、摺動性の向上が図れる。
【００３７】
また、ガスケット２４には、その後端面に開放する中空部２５が形成されている。この中空部２５は、後述する押し子２６のヘッド部２８が螺入（嵌入）される。中空部２５の内面には、雌ネジが形成されている。
【００３８】
ガスケット２４の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３９】
押し子２６は、横断面が十文字状をなす棒状の本体部２７を有している。
本体部２７の先端側には、ガスケット２４の中空部２５内に挿入され、ガスケット２４と連結されるヘッド部（連結部）２８が形成されている。ヘッド部２８の外周には、中空部２５の内面の雌ネジと螺合し得る雄ネジが形成されている。この雄ネジを雌ネジと螺合することにより、ガスケット２４と押し子２６とが連結される。なお、ガスケット２４と押し子２６は、螺合による連結に限らず、例えば凹凸嵌合等により連結された構成、接着、融着等により固着された構成、一体成形された構成であってもよい。
【００４０】
また、本体部２７の後端側には、円盤状のフランジ２９が形成されている。
また、押し子２６の構成材料としては、前述した外筒２１の構成材料として例示したものと同様のものを用いることができる。
【００４１】
第１のシリンジ２は、塗布具１に装填される以前に、外筒２１とガスケット２４とで囲まれた空間（貯液空間）２０に、後述する第１の液体が充填される。
【００４２】
第２のシリンジ３も、第１のシリンジ２と同様に、外筒２１と、外筒２１内で摺動し得るガスケット２４と、ガスケット２４を移動操作する押し子２６とで構成され、空間２０に第２の液体が充填される。各部の構成は同様であるため、その説明は省略する。
【００４３】
第１のシリンジ２に充填される第１の液体と、第２のシリンジ３に充填される第２の液体とは、それらの組成（成分）が異なるものである。
【００４４】
本発明においては、第１の液体と第２の液体とは、塗布具１の用途、使用目的、症例等に応じて適宜選定される。例えば、生体組織接着材の投与に使用する場合、第１の液体および第２の液体のうちの一方は、トロンビンを含有する液体（溶液等）、他方はフィブリノーゲンを含有する液体（溶液等）とすることができる。
【００４５】
また、癒着防止材の投与に使用する場合、第１の液体および第２の液体のうちの一方は、スクシンイミジル基で修飾したカルボキシメチルデキストリンを含有する液体（溶液等）、他方は、リン酸水素二ナトリウムを含有する液体（溶液等）とすることができる。
【００４６】
このような組み合わせの第１の液体および第２の液体は、それらを混合すると、ゲル化（固化）する。ゲル化することにより、例えば、第１の液体と第２の液体とが混合したもの（以下、「混合物」という）が、塗布された生体組織（目的部位）に確実に留まることができる。また、混合物が目的部位に確実に留まるため、当該目的部位において、生体組織接着材や癒着防止材としての機能を確実に発揮することができる。
【００４７】
なお、第１の液体および第２の液体の種類および組み合わせは、上述したものに限定されないことは、言うまでもない。
【００４８】
第１のシリンジ２および第２のシリンジ３の両外筒２１を固定した状態で、両押し子２６を先端方向（図１中の矢印で示す方向）に押圧すると、両外筒２１内に貯留されている第１の液体および第２の液体が、それぞれの縮径部２２から吐出（流出）する。
【００４９】
第１のシリンジ２の外筒２１の内径と第２のシリンジ３の外筒２１の内径は、同一でも異なっていてもよい。前者の場合、両押し子２６の先端方向への移動に対し、第１の液体と第２の液体をほぼ同量づつ供給する（押し出す）ことができ、ノズル４から噴出される際の第１の液体と第２の液体の混合比は、ほぼ１：１となる。後者の場合、両押し子２６の先端方向への移動に対し、第１の液体と第２の液体の単位時間当たりの供給量（流量）は異なるため、ノズル４から噴出される際の第１の液体と第２の液体の混合比は、１：１以外とすることができる。この混合比は、両外筒２１の内径の比に対応するため、当該内径の比を適宜設定することにより、第１の液体と第２の液体の混合比を設定することができる。例えば、第１の液体をトロンビンを含有する液体、第２の液体をフィブリノーゲンを含有する液体とした場合、混合比＝第１の液体の噴出量：第２の液体の噴出量＝第１のシリンジ２の外筒２１の内径：第２のシリンジ３の外筒２１の内径を好ましくは１：０．１〜１：１０程度とすることにより、効率良く（迅速に）ゲル化させることができる。
【００５０】
第１の液体が充填された第１のシリンジ２と、第２の液体が充填された第２のシリンジ３とが装填される塗布具１は、塗布具本体７と、ノズル４と、連結部材８とを有している。以下、各部の構成について説明する。
【００５１】
図１および図３に示すように、塗布具本体７は、第１のシリンジ２および第２のシリンジ３を並列に固定するものである。
【００５２】
この塗布具本体７は、基部７１と、基部７１の先端に設けられた前板７２と、基部７１の後端に設けられた後板７３と、後板７３から後端方向に延在するレール部７４と、基部７１の下部に設けられたグリップ部７５とで構成されている。
【００５３】
図３〜図５に示すように、基部７１は、その上部に、横断面がほぼ半円弧状をなす凹部７１１および７１２が並列に設けられている。
【００５４】
基部７１の先端には、前板７２が設けられている。この前板７２には、凹部７１１および７１２のぞれぞれに対応する位置に、Ｕ字状をなす溝７２１および７２２が形成されている。溝７２１および７２２の幅は、それぞれ、縮径部２２の外径とほぼ同等またはそれより若干大きく設定されている。
【００５５】
図３に示すように、溝７２１および７２２には、それぞれ、第１のシリンジ２の縮径部２２および第２のシリンジ３の縮径部２２が挿入され、当該各縮径部２２が前板７２の先端面７２３から突出可能となっている。
【００５６】
基部７１の後端には、中空の後板７３が設けられている。図３に示すように、この後板７３には、凹部７１１および７１２のぞれぞれに対応する位置に、Ｕ字状をなす凹部７３１および７３２が形成されている。凹部７３１および７３２の幅は、それぞれ、外筒２１の外径とほぼ同等またはそれより若干大きく設定されている。
【００５７】
第１のシリンジ２および第２のシリンジ３を装填するとき、各フランジ２３が後板７３の中空部に挿入されるとともに、各外筒２１が凹部７３１および７３２にそれぞれ、挿入される。これにより、各フランジ２３が後板７３に係合することとなる。したがって、後板７３は、各フランジ２３が係合する係合部として機能している。
【００５８】
塗布具本体７では、溝７２１および７２２に各縮径部２２が挿入されるとともに、後板７３に各フランジ２３が係合することにより、第１のシリンジ２と第２のシリンジ３とを確実に並列に固定することができる。
【００５９】
また、後板７３には、当該後板７３からレール部７４が後端方向に延設されている。図９に示すように、レール部７４は、その横断面がほぼＴ字状をなすものである。
【００６０】
基部７１の下部には、グリップ部７５が下方に向って突出形成されている。図１に示すように、このグリップ部７５は、長尺状をなしており、片方の手（図中では、右手）の親指を除く４本の（複数の）指、すなわち、人差し指、中指、薬指および小指で握られる部位である。
【００６１】
また、図６（図１、図３も同様）に示すように、グリップ部７５には、基部７１との境界部（接合部）付近に、リング状の挿入部７５１が設けられている。この挿入部７５１は、人差し指が挿入される部位である（図１参照）。
【００６２】
このような挿入部７５１が設けられていることにより、当該挿入部７５１に人差し指を引っ掛ける（係合させる）ことができ、よって、グリップ部７５を４本の指で確実に握ることができる。また、誤って（不本意に）手がグリップ部７５（塗布具１）から滑ったとしても、挿入部７５１が人差し指に挿通されているため（図１参照）、塗布具１が手から離脱するのを確実に防止することができる。
【００６３】
なお、塗布具本体７の構成材料としては、特に限定されず、例えば、各種金属材料や各種プラスチック等を単独または組み合わせて用いることができる。
【００６４】
次に、連結部材８の構成について説明する。
図１および図３に示すように、連結部材８は、第１のシリンジ２および第２のシリンジ３の押し子２６のフランジ２９（後端部）同士を連結、固定するものである。これにより、第１のシリンジ２の押し子２６と第２のシリンジ３の押し子２６とは、外筒２１の長手方向に対し、一体となって移動することができる。
【００６５】
図８（図１、図３および図９も同様）に示すように、連結部材８は、基部８１と、基部８１の下部に突出形成された突出部（指掛け部）８２とを有している。
【００６６】
図７（図３も同様）に示すように、基部８１（連結部材８）には、第１のシリンジ２および第２のシリンジ３のそれぞれの押し子２６のフランジ２９が係合する（挟持される）係合部８１１および８１２と、レール部７４が挿入される開口部８１３とが設けられている。
【００６７】
係合部８１１および８１２は、それぞれ、互いに対向する一対の凸部８１４で構成されており、各凸部８１４によって、各フランジ２９がその径方向に挟持される。これにより、第１のシリンジ２および第２のシリンジ３の押し子２６同士を確実に連結することができる。
【００６８】
図９に示すように、開口部８１３は、その形状がほぼ三角形状をなしている。この開口部８１３の角部（縁部）８１５、８１６および８１７は、それぞれ、横断面がＴ字状をなすレール部７４の端部７４１、７４２および７４３に線接触している。
【００６９】
このようにレール部７４と連結部材８の基部８１（開口部８１３）とが３箇所（複数の箇所）で線接触していることにより、レール部７４と連結部材８の基部８１との摺動抵抗を低減することができる。
【００７０】
また、レール部７４が連結部材８の移動を案内するガイド部として機能するため、連結部材８が安定して移動することができる。
【００７１】
連結部材８の基部８１の下部には、ブロック状（長尺状）の突出部８２が設けられている。この突出部８２は、各外筒２１の長手方向、すなわち、連結部材８の移動方向に対しほぼ直角方向に突出したものである。
【００７２】
図１に示すように、突出部８２には、親指の指先のみを掛けることができる。
また、図８（図１および図３も同様）に示すように、突出部８２の後端面８２１は、円弧状に湾曲している。これにより、親指の指先を安定して掛けることができる。
【００７３】
また、突出部８２の後端面８２１には、ドーム状（半球状）の多数の凸部８２２が形成されている。これにより、親指の指先で突出部８２を押圧するとき、当該親指の指先が突出部８２（後端面８２１）から滑るのを防止することができる。
【００７４】
このような突出部８２が設けられていることにより、簡単な構造で、人差し指、中指、薬指および小指でグリップ部７５を支えつつ、親指で当該突出部８２をグリップ部７５に向けて容易に押圧することができる。
【００７５】
なお、連結部材８の構成材料としては、特に限定されないが、例えば、塗布具本体７についての説明で挙げたような材料を用いることができる。
【００７６】
次に、ノズル４の構成について説明する。ノズル４は、第１のシリンジ２および第２のシリンジ３のそれぞれの縮径部２２から流出した（供給される）第１の液体および第２の液体を吐出して（噴出して）、患部に供給するものである。
【００７７】
図１、図２および図１０に示すように、ノズル４は、ノズル本体４１と、ノズル本体４１の先端に設置されるノズルプレート４２とを備えている。
【００７８】
ノズルプレート４２は、第１の液体を噴出（噴霧）する第１の噴出口（第１の吐出口）５２と、第２の液体を噴出（噴霧）する第２の噴出口（第２の吐出口）６２とが設けられている。
【００７９】
ノズル本体４１は、ブロック体で構成されたものである。このノズル本体４１には、第１のシリンジ２から流出した第１の液体を第１の噴出口５２へ送る第１の流路５０と、第２のシリンジ３から流出した第２の液体を第２の噴出口６２へ送る第２の流路６０とが設けられている。また、第１の流路５０の後端部５１および第２の流路６０の後端部６１は、それぞれ、第１のシリンジ２の外筒２１の縮径部２２および第２のシリンジ３の外筒２１の縮径部２２に液密に嵌合して接続されている（図１０参照）。
【００８０】
図１０に示すように、第１の噴出口５２と第２の噴出口６２との間隔は、第１のシリンジ２の外筒２１の縮径部２２と第２のシリンジ３の外筒２１の縮径部２２との間隔より小さく設定されている。これにより、第１の噴出口５２および第２の噴出口６２よりそれぞれ噴出する第１の液体および第２の液体を混合することができる。
【００８１】
このような第１の噴出口５２および第２の噴出口６２は、好ましくはそれらのうちの少なくとも一方、より好ましくは双方が、液体を霧状にして噴出し得るものである。本実施形態では、双方共に液体を霧状にして噴出し得るものである。以下、その構造の一例について説明する。
【００８２】
図２に示すように、第１の噴出口５２は、ノズルプレート４２を貫通する複数の小孔５４で構成されている。また、第２の噴出口６２もほぼ同様に、ノズルプレート４２を貫通する複数の小孔６４で構成されている。このような構成により、第１の噴出口５２および第２の噴出口６２からそれぞれ第１の液体および第２の液体が霧状に噴出（噴霧）され、混合される。
【００８３】
なお、小孔５４、６４の形状は、図示のような円形に限られず、小孔５４、６４の形成数や配設密度（開口率）も特に限定されない。
【００８４】
また、ノズル本体４１およびノズルプレート４２の構成材料としては、特に限定されないが、例えば、塗布具本体７についての説明で挙げたような材料を用いることができる。また、ノズル本体４１とノズルプレート４２との構成材料は、同一でも異なっていてもよい。
【００８５】
次に、第１の液体が充填された第１のシリンジ２と、第２の液体が充填された第２のシリンジ３とを装填した状態（図１（ａ）に示す状態、以下、この状態を「装填状態」という）の塗布具１の作動（作用）について説明する。
【００８６】
まず、第１の液体が充填された第１のシリンジ２と、第２の液体が充填された第２のシリンジ３とを用意する。これら第１のシリンジ２および第２のシリンジ３には、それぞれ、患部に塗布するのに必要な（十分な）程度の液量の第１の液体および第２の液体が充填されている。
【００８７】
塗布具１において、塗布具本体７の後板７３（凹部７３１および７３２）と連結部材８の基部８１（係合部８１１および８１２）との間隔が、各外筒２１のフランジ２３と各押し子２６のフランジ２９との間隔とほぼ等しくなるように、塗布具本体７に対して連結部材８を調整する（移動する）。
【００８８】
この調整した状態の塗布具１に、第１のシリンジ２および第２のシリンジ３をそれぞれ、装填する。換言すれば、前記調整した状態の塗布具１の塗布具本体７の溝７２１、凹部７３１および連結部材８の係合部８１１に、ぞれぞれ、第１のシリンジ２の縮径部２２、フランジ２３およびフランジ２９を係合（挿入）するとともに、塗布具本体７の溝７２２、凹部７３２および連結部材８の係合部８１２に、ぞれぞれ、第２のシリンジ３の縮径部２２、フランジ２３およびフランジ２９を係合（挿入）する。
【００８９】
このように第１のシリンジ２および第２のシリンジ３を装填することにより、塗布具１が装填状態となる。
【００９０】
次に、装填状態の塗布具１の塗布具本体７（グリップ部７５）の挿入部７５１に人差し指を挿入するとともに、挿入部７５１より下方のグリップ部７５の部分（部位）に中指、薬指および小指を掛ける（添える）。また、連結部材８の突出部８２に親指の指先を掛ける。
【００９１】
これにより、装填状態の塗布具１が把持される。
把持された塗布具１によって第１の液体および第２の液体が押し出されるとき、図１（ｂ）に示すように、グリップ部７５（塗布具本体７）は、４本の指によって後端方向に引き寄せられずに、突出部８２（連結部材８）が親指の指先に押圧されて先端方向に移動する、すなわち、突出部８２がグリップ部７５に接近（近接）する。
【００９２】
また、前述したように、ノズル４は、第１のシリンジ２および第２のシリンジ３の各縮径部２２に接続されている。このため、ノズル４は、第１のシリンジ２および第２のシリンジ３を介して塗布具本体７と連結されている。これにより、ノズル４は、第１の液体および第２の液体が押し出されるとき、塗布具本体７と同様に、後端方向に引き寄せられ（移動し）ない（図１（ｂ）参照）。
【００９３】
このような作動（構成）により、塗布具１では、第１のシリンジ２および第２のシリンジ３のそれぞれに充填された第１の液体および第２の液体を患部に塗布するとき、ノズル４が移動しない、すなわち、患部に対してノズル４が離間しない。したがって、患部とノズル４との距離をほぼ一定に維持することができる。
【００９４】
ここで、仮に、ノズル４が患部から離間しつつ、当該ノズル４から第１の液体および第２の液体が噴出される（塗布される）と、例えば、塗布の初期と後期とで第１の液体および第２の液体の広がりの程度に変化が生じ、これらの液体が十分に混合される部分と、混合が不十分な部分とが生じる。このため、混合が不十分な部分では、患部と他の部位との癒着（例えば開腹手術の場合、内臓と腹壁との癒着）を防止するのが困難となる場合がある。
【００９５】
これに対して、塗布具１では、患部とノズル４との距離をほぼ一定に維持することができるため、前述したような不都合が生じることがない。
【００９６】
また、前述したようにレール部７４と連結部材８の基部８１との摺動抵抗が低減されている。摺動抵抗が大きい場合、突出部８２を強く押圧する必要があり、このため、例えば親指をその付け根付近にまで突出部８２に掛ける。このように親指を突出部８２に掛けた場合、グリップ部７５が後端方向に引き寄せられるおそれがあり、よって、ノズル４も同様に後端方向に引き寄せられるおそれがある。
【００９７】
これに対して、塗布具１では、摺動抵抗が低減されていることにより、親指をその付け根付近にまで突出部８２に掛けるのが防止される。よって、突出部８２が親指の指先に押圧されて先端方向に確実に移動し、かつ、ノズル４の移動が確実に防止される。
【００９８】
また、塗布具１は、一回の握りで、すなわち、突出部８２を押しきると第１のシリンジ２および第２のシリンジ３内の第１の液体および第２の液体がそれぞれほぼ全て噴出する、すなわち、第１の液体および第２の液体の残量をほぼ零と設定することができるよう構成されている。換言すれば、塗布具１は、押し子２６同士の移動量（ストローク）をほぼ同等として、この状態の第１のシリンジ２および第２のシリンジ３をそれぞれ、装填することができるよう構成されている。
【００９９】
このような構成により、一回の握りで、第１の液体および第２の液体を目的とする部位（例えば、患部）に広範囲に、かつ、効率よく塗布することができる。
【０１００】
次に、塗布具１の使用方法の一例について、図１１を参照しつつ説明する。
まず、開腹した状態において、腹壁２０１を上方へ持ち上げる。これにより、腹壁２０１と臓器２０２との間に、空間（腹腔２００）が形成される。
【０１０１】
次に、腹壁２０１を持ち上げた状態を維持する。この状態で、塗布具１を図１１中の矢印方向に移動させつつ、塗布具１から臓器２０２に向けて、第１の液体および第２の液体を噴霧し、塗布する。
【０１０２】
このとき、前述したようにノズル４と臓器２０２との距離ｈが一定に維持されるため、臓器２０２の表面における第１の液体および第２の液体の広がりに変化が生じるのが防止され、よって、これらの液体が十分かつ確実に混合される。
【０１０３】
また、距離ｈが大きくなると、これらの液体が塗布される領域が広がり、第１の液体および第２の液体が腹壁２０１の表面等の液体の塗布が不必要な部位にも塗布されてしまうが、塗布具１では、このような不具合が防止され、これらの液体の塗布が必要な部位、すなわち、臓器２０２にこれらの液体のほぼ全量、すなわち、必要量を確実に塗布することができる。したがって、塗布すべき第１の液体および第２の液体の液量が不足するのを確実に防止することができる。
また、後述する癒着防止材層１００の厚さをほぼ一定とすることができる。
【０１０４】
塗布されたこれらの液体は、混合して例えば癒着防止材となり、臓器２０２の表面に癒着防止材層１００を形成する。これにより、たとえ腹壁２０１と臓器２０２とが接近したとしても、それらの癒着を防止することができる。
【０１０５】
その後、切開部２０３を完全に縫合して閉じる。
なお、距離ｈは、塗布具１の用途、使用目的、症例等にもよるが、例えば、１〜１０ｃｍであるのが好ましく、４〜６ｃｍがより好ましい。
【０１０６】
＜第２実施形態＞
図１２は、本発明の塗布具の第２実施形態を示す側面図である。
【０１０７】
以下、この図を参照して本発明の塗布具の第２実施形態について説明するが、前述した実施形態との相違点を中心に説明し、同様の事項はその説明を省略する。
【０１０８】
本実施形態は、塗布具本体の構成が異なること以外は前記第１実施形態と同様である。
図１２に示す塗布具本体７Ａは、基部７１と、基部７１の先端に設けられた前板７２と、基部７１の後端に設けられた後板７３と、基部７１の下部に設けられたグリップ部７５とで構成されている。すなわち、塗布具本体７Ａは、前記第１実施形態の塗布具本体７からレール部７４を省略したものとほぼ同等の構成となっている。
【０１０９】
このような構成により、前記第１実施形態で記載したような塗布具本体７（レール部７４）と連結部材８との摺動抵抗が生じるのを確実に防止することができる。よって、前述したような親指をその付け根付近にまで突出部８２に掛けるのが、確実に防止される。このため、突出部８２が親指の指先に押圧されて先端方向に確実に移動し、かつ、ノズル４の移動が確実に防止される。
【０１１０】
なお、本実施形態では、前述したように塗布具本体７Ａではレール部７４が省略されているため、連結部材８の基部８１から開口部８１３を省略してもよい。
【０１１１】
＜第３実施形態＞
図１３は、本発明の塗布具の第３実施形態を示す側面図である。
【０１１２】
以下、この図を参照して本発明の塗布具の第３実施形態について説明するが、前述した実施形態との相違点を中心に説明し、同様の事項はその説明を省略する。
本実施形態は、連結部材の構成が異なること以外は前記第２実施形態と同様である。
【０１１３】
図１３に示す連結部材８Ａは、前記第２実施形態とほぼ同様の基部８１のみで構成されている。このため、連結部材８Ａでは、その後端部（後端面）８１８に親指の指先を掛けることができる。すなわち、連結部材８Ａでは、その後端部８１８が親指の指先のみを掛ける指掛け部として機能する。
【０１１４】
このような構成により、前記第２実施形態（前記第１実施形態も同様）の連結部材８のような突出部８２を設けるのを省略することができ、よって、連結部材８Ａを簡単な構造のものとすることができる。
【０１１５】
以上、本発明の塗布具を図示の各実施形態に基づいて説明したが、本発明はこれらに限定されるものではなく、各部の構成は、同様の機能を発揮し得る任意の構成と置換することができ、また、任意の構成が付加されていてもよい。
【０１１６】
例えば、２本のシリンジが装填されるよう構成されているが、３本以上のシリンジが装填されるよう構成されていてもよい。
【０１１７】
また、３本以上のシリンジが装填されるよう構成されている場合、各シリンジに充填される液体の液組成が異なっており、３種類以上の液体を同時に噴出（噴霧）し、混合し得るように構成されたものでもよい。
【０１１８】
また、グリップ部は、人差し指、中指、薬指および小指で握られるよう構成されているのに限定されず、例えば、人差し指および中指で握られるよう構成されていてもよい。
【０１１９】
また、グリップ部の挿入部は、人差し指に対応する位置にのみ設けられているのに限定されず、例えば、中指、薬指および小指のそれぞれに位置にも設けられていてもよい。
【０１２０】
また、図１０に示すノズルでは、第１の流路と第２の流路とが互いに独立して形成されているが、ノズル構成は、これに限定されず、第１の流路と第２の流路とが途中で合流するよう形成されていてもよい。この場合、第１の流路と第２の流路とが合流した部位で、第１の液体と第２の液体とを混合させることができる。
【０１２１】
また、ノズルは、塗布具本体と別体で構成されているが、これに限定されず、例えば、塗布具本体と一体的に形成されていてもよい。
【０１２２】
また、本発明の塗布具は、開腹手術に用いられているが、これに限定されず、例えば、内視鏡下で用いてもよいし、腹腔鏡下で用いてもよい。
【図面の簡単な説明】
【０１２３】
【図１】本発明の塗布具の第１実施形態を示す側面図である。
【図２】図１に示す塗布具を正面側（前側）から見た斜視図である。
【図３】図１に示す塗布具の分解斜視図である。
【図４】図１に示す塗布具おける塗布具本体および連結部材を正面側から見た斜視図である。
【図５】図１に示す塗布具における塗布具本体の平面図である。
【図６】図１に示す塗布具における塗布具本体の側面図である。
【図７】図４中の一点鎖線で囲まれた領域［Ａ］の拡大図である。
【図８】図１に示す塗布具における連結部材付近の側面図である。
【図９】図１に示す塗布具の背面図である。
【図１０】図１に示す塗布具におけるノズル付近の縦断面図である。
【図１１】図１に示す塗布具の使用状態の一例を示す図である。
【図１２】本発明の塗布具の第２実施形態を示す側面図である。
【図１３】本発明の塗布具の第３実施形態を示す側面図である。
【図１４】図１に示す塗布具に装填される第１のシリンジ（第２のシリンジも同様）の部分縦断面図である。
【符号の説明】
【０１２４】
１          塗布具
２          第１のシリンジ
２０        空間
２１        外筒
２２        縮径部（口部）
２３        フランジ
２４        ガスケット
２５        中空部
２６        押し子
２７        本体部
２８        ヘッド部
２９        フランジ
３          第２のシリンジ
４          ノズル
４１        ノズル本体
４２        ノズルプレート
５０        第１の流路
５１        後端部
５２        第１の噴出口
５４        小孔
６０        第２の流路
６１        後端部
６２        第２の噴出口
６４        小孔
７、７Ａ    塗布具本体
７１        基部
７１１、７１２  凹部
７２        前板
７２１、７２２  溝
７２３      先端面
７３        後板
７３１、７３２  凹部
７４        レール部
７４１、７４２、７４３  端部
７５        グリップ部
７５１      挿入部
８、８Ａ    連結部材
８１        基部
８１１、８１２  係合部
８１３      開口部
８１４      凸部
８１５、８１６、８１７  角部
８１８      後端部（後端面）
８２        突出部（指掛け部）
８２１      後端面
８２２      凸部
１００      癒着防止材層
２００      腹腔
２０１      腹壁
２０２      臓器
２０３      切開部
【図１】
2007045515.tif 000003
【図２】
2007045515.tif 000004
【図３】
2007045515.tif 000005
【図４】
2007045515.tif 000006
【図５】
2007045515.tif 000007
【図６】
2007045515.tif 000008
【図７】
2007045515.tif 000009
【図８】
2007045515.tif 000010
【図９】
2007045515.tif 000011
【図１０】
2007045515.tif 000012
【図１１】
2007045515.tif 000013
【図１２】
2007045515.tif 000014
【図１３】
2007045515.tif 000015
【図１４】
2007045515.tif 000016